(57)【特許請求の範囲】
【請求項１】
天井内に埋設されるケース本体の底面開口部に、中央に吸込口を構成する吸込グリルを備え、その周囲に吹出口を備えた化粧パネルを設け、これら吸込口および吹出口を結ぶ空気通路に送風機と熱交換器とを設けるとともに、前記吸込口の内側にベルマウスを設け、同ベルマウスの外側に電装カバーによりカバーされた電装品箱を設けてなる天井埋込型空気調和機において、
前記ベルマウスを、上下に分割した第一ベルマウスと第二ベルマウスとで構成し、同第二ベルマウスに、前記電装品箱の側壁の下部と、前記電装カバーとに対向する開口部を設け、同開口部を、前記電装カバーと、同電装カバーに連続するように前記側壁の下部を延出してなる補助側壁とで閉塞してなることを特徴とする天井埋込型空気調和機。
【請求項２】
前記補助側壁および前記電装カバーに相対向する段部を設け、同段部により前記補助側壁および前記電装カバーを隙間なく接合するようにしたことを特徴とする請求項１に記載の天井埋込型空気調和機。
【請求項３】
前記補助側壁にフック受け部を設ける一方、前記電装カバーに前記フック受け部に係止するフックを設け、同フックを前記フック受け部に係止して前記補助側壁および前記電装カバーを隙間なく接合するようにしたことを特徴とする請求項１に記載の天井埋込型空気調和機。
【請求項４】
前記電装品箱の前記送風機側と、前記電装カバーとに通気孔を設けたことを特徴とする請求項１、請求項２または請求項３に記載の天井埋込型空気調和機。
【請求項５】
前記補助側壁に、前記第一ベルマウスまたは前記第二ベルマウスの最小内径部よりも少許内側に突出し、前記吸込口からの吸込空気の温度を検出するサーミスタを取り付ける取付部を設けたことを特徴とする請求項１に記載の天井埋込型空気調和機。
【請求項６】
前記取付部の前記送風機側に、前記第一ベルマウスの先端部に対応する溝部を設けたことを特徴とする請求項１または請求項５に記載の天井埋込型空気調和機。
【請求項７】
前記取付部の突出形状の対応して、前記電装カバーに通気口を有する突出部を設けたことを特徴とする請求項１、請求項２、請求項３、請求項４、請求項５または請求項６に記載の天井埋込型空気調和機。
【請求項８】
前記電装カバーに、前記送風機に手指が触指しないように保護する保護網を連続形成したことを特徴とする請求項１、請求項２、請求項３、請求項４または請求項７に記載の天井埋込型空気調和機。
【請求項９】
前記保護網が、同心円状に形成された複数の環状桟と、同環状桟を連結する複数の放射状の連結桟とからなることを特徴とする請求項８に記載の天井埋込型空気調和機。
【発明の詳細な説明】
【０００１】
【発明の属する技術分野】
本発明は、天井埋込型空気調和機に係わり、より詳細には、電装品箱内の配線などの取り回しスペースを充分に確保できるようにした構造に関する。
【０００２】
【従来の技術】
従来の天井埋込型空気調和機は、例えば図１１で示すように、天井内に埋設されるケース本体１の底面開口部に、中央に吸込口２を構成する吸込グリルを備え、その周囲に吹出口３を備えた化粧パネル４を設け、これら吸込口２および吹出口３を結ぶ空気通路に送風機５と熱交換器６とを設けるとともに、前記吸込口２の内側にベルマウス7'を設け、同ベルマウス7'の外側に電装カバー10によりカバーされた電装品箱９を設けてなる構成であった。
【０００３】
しかしながら、前記電装品箱９は、その側壁9aが前記ベルマウス7'の外側に位置していることから、内部に配線などの取り回しスペースを充分に確保できにくいという問題を有していた。
【０００４】
【発明が解決しようとする課題】
本発明においては、上記の問題点に鑑み、電装品箱内の配線などの取り回しスペースを充分に確保できるようにした天井埋込型空気調和機を提供することを目的とする。
【０００５】
【課題を解決するための手段】
本発明は、上記課題を解決するため、天井内に埋設されるケース本体の底面開口部に、中央に吸込口を構成する吸込グリルを備え、その周囲に吹出口を備えた化粧パネルを設け、これら吸込口および吹出口を結ぶ空気通路に送風機と熱交換器とを設けるとともに、前記吸込口の内側にベルマウスを設け、同ベルマウスの外側に電装カバーによりカバーされた電装品箱を設けてなる天井埋込型空気調和機において、
前記ベルマウスを、上下に分割した第一ベルマウスと第二ベルマウスとで構成し、同第二ベルマウスに、前記電装品箱の側壁の下部と、前記電装カバーとに対向する開口部を設け、同開口部を、前記電装カバーと、同電装カバーに連続するように前記側壁の下部を延出してなる補助側壁とで閉塞した構成となっている。
【０００６】
また、前記補助側壁および前記電装カバーに相対向する段部を設け、同段部により前記補助側壁および前記電装カバーを隙間なく接合するようにした構成となっている。
【０００７】
また、前記補助側壁にフック受け部を設ける一方、前記電装カバーに前記フック受け部に係止するフックを設け、同フックを前記フック受け部に係止して前記補助側壁および前記電装カバーを隙間なく接合するようにした構成となっている。
【０００８】
また、前記電装品箱の前記送風機側と、前記電装カバーとに通気孔を設けた構成となっている。
【０００９】
また、前記補助側壁に、前記第一ベルマウスまたは前記第二ベルマウスの最小内径部よりも少許内側に突出し、前記吸込口からの吸込空気の温度を検出するサーミスタを取り付ける取付部を設けた構成となっている。
【００１０】
また、前記取付部の前記送風機側に、前記第一ベルマウスの先端部に対応する溝部を設けた構成となっている。
【００１１】
また、前記取付部の突出形状の対応して、前記電装カバーに通気口を有する突出部を設けた構成となっている。
【００１２】
また、前記電装カバーに、前記送風機に手指が触指しないように保護する保護網を連続形成した構成となっている。
【００１３】
更に、前記保護網が、同心円状に形成された複数の環状桟と、同環状桟を連結する複数の放射状の連結桟とからなる構成となっている。
【００１４】
【発明の実施の形態】
以下、本発明の実施の形態を、添付図面に基づいた実施例として説明する。
図１乃至図10で示すように、１は天井内に埋設される天井埋込型空気調和機のケース本体、４は同ケース本体１の底面開口部に設けられ、中央に吸込口２を構成する吸込グリルを備えその周囲に吹出口３を備えた化粧パネル、５はこれら吸込口２および吹出口３を結ぶ空気通路に設けられた送風機、６は熱交換器、７および８は前記吸込口２の内側に設けられ、上下に分割された第一ベルマウスおよび第二ベルマウスからなるベルマウス、９は同ベルマウス７および８の外側に設けられ、電装カバー10によりカバーされた電装品箱である。
【００１５】
前記ベルマウスを、上記説明のように上下に分割した前記第一ベルマウス７と前記第二ベルマウス８とで構成し、同第二ベルマウス８に、前記電装品箱９の側壁9aの下部と、前記電装カバー10とに対向する開口部を設け、同開口部を、前記電装カバー10と、同電装カバー10に連続するように前記側壁9aの下部を延出部9bにより延出してなる補助側壁9cとで閉塞した構成となっており、
これによって、前記送風機５の下端を、前記延出部9bの上部であって前記側壁9aと前記第一ベルマウス７との間に旋回自在に収容できるようになり、また、前記第一ベルマウス７および前記第二ベルマウス８の外側に、前記電装品箱９の側壁9aが配置されない構成となって、前記電装品箱９内に、図５で示すような配線などの取り回しスペースＡを充分に確保できるようにした構造となる。
【００１６】
また、前記補助側壁9cおよび前記電装カバー10に相対向する段部ａを設け、同段部ａにより前記補助側壁9cおよび前記電装カバー10を隙間なく接合するようにしたことにより、同接合部から吸込空気の空気漏れが生じないようにした構成となっている。
【００１７】
また、前記補助側壁9cに係止孔からなるフック受け部ｂを設ける一方、前記電装カバー10に前記フック受け部ｂに係止するフックｃを設け、同フックｃを前記フック受け部ｂに係止して前記補助側壁9cおよび前記電装カバー10を隙間なく接合するようにしたことにより、同接合部から吸込空気の空気漏れが生じないように、該箇所をより正確に接合できるようにした構成となっている。
【００１８】
また、前記電装品箱９の前記送風機５側と、前記電装カバー10とに、図７で示すような通気孔ｄを設けたことにより、前記電装品箱９内の通気性を高めて、同電装品箱９内の基板11に取り付けられた電気部品を効果的に冷却できるようにした構成となっている。
【００１９】
また、前記補助側壁9cに、図８で示すように、前記第一ベルマウス７または前記第二ベルマウス８の最小内径部よりも少許内側に突出し、前記吸込口２からの吸込空気の温度を検出するサーミスタ（図示せず）を取り付ける取付部12を設けたことにより、同サーミスタ（図示せず）により、前記吸込口２からの吸込空気の温度を正確に検出できるようにした構成となっている。
【００２０】
また、前記取付部12の前記送風機５側に、図９で示すように、前記第一ベルマウス７の先端部に対応する溝部12a を設けたことにより、前記第一ベルマウス７を容易に取り付けることができるようにした構成となっている。
【００２１】
また、前記取付部12の突出形状の対応して、図10で示すように、前記電装カバー10に通気口を有する突出部13を設けたことにより、同突出部13に通気性をもたせて、前記サーミスタ（図示せず）で前記吸込空気の温度を正確に検出できるようにするとともに、前記取付部12に取り付けられた前記サーミスタ（図示せず）を正確に保護できるようにした構成となっている。
【００２２】
また、前記電装カバー10に、前記送風機５に手指が触指しないように保護する保護網14を連続形成したことにより、前記吸込口２から前記送風機５に向けて、誤って手指が挿入されないように効果的に保護できるようにした構成となっている。
【００２３】
更に、前記保護網14が、同心円状に形成された複数の環状桟14a と、同環状桟14a を連結する複数の放射状の連結桟14b とからなる構成となっており、
これによって、前記保護網14に適宜強度をもたせるとともに、上記説明のとおり、前記吸込口２から誤って手指が挿入されないように効果的に保護できるようにした構造となる。
【００２４】
以上の構成により、図１乃至図10で示すように、前記ベルマウスを、上下に分割した前記第一ベルマウス７と前記第二ベルマウス８とで構成し、同第二ベルマウス８に、前記電装品箱９の側壁9aの下部と、前記電装カバー10とに対向する開口部を設け、同開口部を、前記電装カバー10と、同電装カバー10に連続するように前記側壁9aの下部を延出部9bにより延出してなる補助側壁9cとで閉塞したことにより、
前記送風機５の下端を、前記延出部9bの上部であって前記側壁9aと前記第一ベルマウス７との間に旋回自在に収容できるようになり、また、前記第一ベルマウス７および前記第二ベルマウス８の外側に、前記電装品箱９の側壁9aが配置されない構成となって、前記電装品箱９内に、図５で示すような配線などの取り回しスペースＡを充分に確保できるようにした天井埋込型空気調和機となる。
【００２５】
【発明の効果】
以上のように本発明によると、電装品箱内の配線などの取り回しスペースを充分に確保できるようにした天井埋込型空気調和機となる。
【図面の簡単な説明】
【図１】本発明による天井埋込型空気調和機の断面図である。
【図２】本発明による天井埋込型空気調和機の要部断面図である。
【図３】本発明による天井埋込型空気調和機の要部拡大断面図である。
【図４】本発明による天井埋込型空気調和機の要部分解図である。
【図５】本発明による天井埋込型空気調和機の要部拡大断面図である。
【図６】本発明による天井埋込型空気調和機の要部拡大断面図である。
【図７】本発明による天井埋込型空気調和機の要部拡大断面図である。
【図８】本発明による天井埋込型空気調和機の底面図である。
【図９】図８で示すＡーＡ断面図である。
【図１０】本発明による天井埋込型空気調和機の電装カバー、サーミスタ取付部および保護網を示す底面図である。
【図１１】従来例による天井埋込型空気調和機の断面図である。
【符号の説明】
１  ケース本体
２  吸込口
３  吹出口
４  化粧パネル
５  送風機
６  熱交換器
７  第一ベルマウス
８  第二ベルマウス
９  電装品箱
9a  側壁
9b  延出部
9c  補助側壁
10  電装カバー
11  基板
12  取付部
12a 溝部
13  突出部
14  保護網
14a 環状桟
14b 連結桟
ａ  段部
ｂ  フック受け部
ｃ  フック
ｄ  通気孔
【図１】
0003928294.tif 000002
【図２】
0003928294.tif 000003
【図３】
0003928294.tif 000004
【図４】
0003928294.tif 000005
【図５】
0003928294.tif 000006
【図６】
0003928294.tif 000007
【図７】
0003928294.tif 000008
【図８】
0003928294.tif 000009
【図９】
0003928294.tif 000010
【図１０】
0003928294.tif 000011
【図１１】
0003928294.tif 000012